(57)【要約】      （修正有）【課題】透明な葉を有する多肉植物であるハオルシアに適した観賞用ケースを提供する。【解決手段】鉢植えされたハオルシア鑑賞用のケース１００であって、鉢植えされたハオルシアＦをセットする領域を備えるケース本体１０と、ケース本体１０に取り付けられた光源２０であって、ハオルシアＦからみて後方で、かつ同じ高さ以上の高さに配置され、その光軸ＷはハオルシアＦの中心方向に向けられる光源２０と、を備えている。ハオルシアＦの中心を通る仮想水平面に対し、ハオルシアＦの後方において、上方１０度〜８５度の角度の高さであって、ハオルシアＦの中心を通る仮想垂直平面に対して、ハオルシアＦの後方において、左右方向に８０度内に光源２０を配置することが好ましい。【選択図】図３
2020178636.tif 000002
【特許請求の範囲】
【請求項１】
鉢植えされたハオルシア鑑賞用のケースであって、
前記鉢植えされたハオルシアをセットする領域を備えるケース本体と、
該ケース本体に取り付けられた光源であって、前記ハオルシアからみて後方で、かつ同じ高さ以上の高さに配置され、その光軸は前記ハオルシアの中心方向に向けられる光源と、
を備えているケース。
【請求項２】
前記光源はハオルシアの中心を通る仮想水平面に対し、ハオルシアの後方において、上方１０度〜８５度の角度の高さ、若しくは７５度〜８５度の角度の高さに配置される、請求項１に記載のケース。
【請求項３】
前記光源は、ハオルシアの中心を通る仮想垂直平面に対して、ハオルシアの後方において、左右方向に８０度内、若しくは７０度内に配置される、請求項２に記載のケース。
【請求項４】
鉢植えされたハオルシア鑑賞用のケースであって、
前記鉢植えされたハオルシアの複数を載置するテーブルと、
該テーブルの中央上方に配置される光源と、を備え、
該光源と該光源より観賞者側に配置される鉢植えされたハオルシアとの関係は、前記光源が前記ハオルシアからみて後方で、かつ同じ高さ以上の高さに配置される、ケース。
【請求項５】
前記光源は、前記テーブルに配置された発光部と前記ハオルシアより上方に配置された反射部とを備えてなる、請求項４に記載のケース。
【請求項６】
前記反射部はケースの天井部に取り付けられるか、若しくは前記テーブルから立設された柱状部に取り付けられる、請求項５に記載のケース。
【請求項７】
前記テーブルは回転する、請求項４〜６の何れかに記載のケース。
【請求項８】
鉢植えされたハオルシアと、該鉢植えされたハオルシアの観賞用ケースとを備えた観賞体であって、
前記観賞用ケースは前記鉢植えされたハオルシアをセットする領域を備えるケース本体と、該ケース本体に取り付けられる光源とを具備し、
前記光源は前記領域にセットされた前記ハオルシアに対し、後方でかつ同じ高さ以上の高さに配置され、かつその光軸は前記ハオルシアの中心方向にむけられている、観賞体。
【請求項９】
前記光源はハオルシアの中心を通る仮想水平面に対し、ハオルシアの後方において、１０度〜８５度の角度の高さ、若しくは７５度〜８５度の角度の高さに配置され、かつ
前記光源はハオルシアの中心を通る仮想垂直平面に対して、ハオルシアの後方において、左右方向に８０度内、若しくは７０度内に配置されている、請求項８に記載の観賞体。
【発明の詳細な説明】
【技術分野】
【０００１】
本発明はハオルシア観賞用のケース及び観賞体に関する。
【背景技術】
【０００２】
従来、植物を観賞するためのケースが提供されている。例えば、特許文献１に記載のケースでは、ケース本体とケース本体の天井に取り付けられる光源とを備え、植物をその上方から照明している。
また特許文献２には、植物をその鉢も含めて全周囲から照明するケースが提案されている。
本願発明に関連する技術を開示する特許文献３を参照されたい。
【先行技術文献】
【特許文献】
【０００３】
【特許文献１】特開２０１４−１４７３２６号公報
【特許文献２】特開２０１８−０８１８６５号公報
【特許文献３】特開平６−１４１６８４号公報
【発明の概要】
【発明が解決しようとする課題】
【０００４】
上記従来の植物鑑賞用ケースは、植物の全体を照明して、その反射光により植物の美しさを際立たせようとするものであった。
他方、多肉植物の一種であるハオルシアはその葉の一部が透明である。かかるハオルシアの鑑賞において、その美しさを際立たせるのは透明な葉を透過する光である。
このようなハオルシアを従来の植物鑑賞用ケースにセットして、例えば特許文献１に記載のケースのようにその真上から照明すると、観賞者の視点は照明光の光軸とほぼ直交状態にあるので、ハオルシアの透明な葉を透過した光のうちの僅かしか観賞者へ届かない。
また、特許文献２に記載のケースのように、ハオルシアをその鉢とともに全周囲から照明すると、確かに、ハオルシアの透明な葉を透過する光に光量は確保できるが、鉢植えされたハオルシアの全周囲に照射された光がいわゆる逆光になって、ハオルシアの透明な葉を透過した光の効果が減殺されてしまう。
【課題を解決するための手段】
【０００５】
本発明は、上記課題を解決するために、以下に記載の手段を工夫した。すなわち、本発明に係るケースは、鉢植えされたハオルシア鑑賞用のケースであって、前記鉢植えされたハオルシアをセットする領域を備えるケース本体と、該ケース本体に取り付けられた光源であって、前記ハオルシアからみて後方で、かつ同じ高さ以上の高さに配置され、その光軸は前記ハオルシアの中心方向に向けられる光源と、を備えている。
【０００６】
このように構成されたケースにおいてその光源から放出された光はもっぱらハオルシアの透明な葉に照射されこれを透過する。他方、鉢の部分を照らす光はほとんどないので、いわゆる逆光の影響が少なくなる。
ハオルシアの透明な葉を透過する光を観察する観賞者の視点はハオルシアの葉と略同じ高さとなる。よって、観賞者からみてハオルシアの斜め後方に光源が配置されると、その光軸が観賞者の視点から外れて逆光とならず、かつハオルシアの葉を透過する光に十分な光量を確保できる。ハオルシアの透明な葉に入射した光は屈折ないし乱反射して観賞者に届けられる。
本発明者の検討によれば、ハオルシアをより美しく観賞するには、ハオルシアの中心を通る仮想水平面に対し、ハオルシアの後方において、上方１０度〜８５度の角度の高さ、更に好ましくは７５度〜８５度の角度の高さに光源を配置することが好ましい。
【０００７】
同様に、ハオルシアの中心を通る仮想垂直平面に対して、ハオルシアの後方において、左右方向に８０度内、更に好ましくは７０度内に光源を配置することが好ましい。
この光源の光軸はハオルシアの中心方向に向けられる。ここに、ハオルシアの中心とは、光源からみたときのハオルシアの正面図の中央の点を指し、中心方向とは光源の光軸がハオルシアに交差しておればよい。
光源にはＬＥＤやバルブが用いられるので、当該光源からは全方位に光が放出される。ここで、光軸とは、光源から放出される光のなかで最も光量の多い方向を指す。
なお、この明細書では、その葉の一部が透明である多肉植物のことをハオルシアと総称しており、観賞対象となる植物の呼び名の如何に、その技術的範囲が左右されるものではない。
【０００８】
本発明に係るケースは、鉢植えされたハオルシア鑑賞用のケースであって、前記鉢植えされたハオルシアの複数を載置するテーブルと、該テーブルの中央に配置される光源と、を備え、該光源と該光源より観賞者側に配置される鉢植えされたハオルシアとの関係は、前記光源が前記ハオルシアからみて後方で、かつ同じ高さ以上の高さに配置され、その光軸は前記ハオルシアの中心方向にむいている。
本発明に係るケースは、前記光源が、前記テーブルに配置された発光部と前記ハオルシアより上方に配置された反射部とを備えてなることが好ましい。
また本発明に係るケースは、前記反射部がケースの天井部に取り付けられるか、若しくは前記テーブルから立設された柱状部に取り付けられることが好ましい。
更に本発明に係るケースは、前記テーブルが回転することが好ましい。
【図面の簡単な説明】
【０００９】
【図１】図１は光源の配置位置を示す平面説明図である。
【図２】図２は光源の配置位置を示す側面説明図である。
【図３】図３は実施例のケースと該ケースにセットされた鉢植えハオルシアを示す斜視図である。
【図４】図４は他の実施例のケースの斜視図である。
【図５】図５は当該他の実施例のケースの変形例を示す斜視図である。
【図６】図６は図５のケースを下から見た斜視図である。
【図７】図７は更に他の実施例のケースの外観図である。
【図８】図８は図７のケースの内部が見えるように下から見た一部切欠き図である。
【図９】図９は図７のケースの一部を省いて内部が見えるようにした一部切欠き斜視図である。
【図１０】図１０は他の実施例のケースの内部が見えるように一部を省いた一部切欠き斜視図である。
【図１１】図１１は当該他の実施例のケースの内部が見えるように一部を省いた一部切欠き平面図である。
【図１２】図１２は当該他の実施例のケースの内部が見えるように一部を省いた一部切欠き正面図である。
【図１３】図１３は他の実施例のケースを示す斜視図である。
【図１４】図１４は他の実施例のケースを示す断面図である。
【発明を実施するための形態】
【００１０】
以下、本発明の実施の形態について、図を参照して詳細に説明する。本実施形態のケースは、鉢植えされたハオルシア鑑賞用のケースである。本実施形態では、下記実施例１〜６に適用できる共通の部分について、先ず説明する。
図１は光源の配置関係を示すケース３０００の平面説明図であり、図２は同じ場合の光源の配置関係を示す側面説明図である。
本実施形態の光源は、ケース本体３１００の領域１１にセットされるハオルシアＦからみて後方で、かつ同じ高さ以上の高さのケース本体３１００に配置されている。
【００１１】
より具体的には、図１に示すように、ケース３０００の光源は、ハオルシアＦの中心を通る仮想垂直平面Ｖに対して、ハオルシアＦの後方において、左右方向にそれぞれ８０度の角度θＷ１内、若しくは７０度の角度θＷ２内に配置されている。
このとき、ケース本体３１００に設けられた光源の光軸はハオルシアＦの中心方向に向けられる。
【００１２】
また、図２に示すように、ケース３０００の光源は、ハオルシアＦの中心を通る仮想水平面Ｕに対し、ハオルシアＦの後方において、上方１０度〜８５度の角度θＨ１の高さ、若しくは７５度〜８５度の角度θＨ２の高さのケース本体３１０の後面Ｄに配置されている。
このとき、光源の光軸はハオルシアＦの中心方向に向けられており、図２に示す観賞者Ｃの位置から水平目線でハオルシアＦを観賞する場合、ハオルシアＦの透明な葉が鑑賞者の水平目線の高さ、またはその近傍に位置し、ハオルシアＦの透明な部分を透過して目に入る光の量は最大になる。
また、角度θＨ１の高さの一部の光源、若しくは角度θＨ２の高さの光源の光軸は観賞者Ｃの視点から外れて逆光とならず、ハオルシアの透明な葉に入射した光は屈折ないし乱反射して観賞者Ｃに届けられる。
【００１３】
本実施形態のケース３０００によれば、上記構成としたので、逆光の影響を排除しつつ、ハオルシアＦの葉の透明な部分を透過する光（観賞者が視認）に十分な光量を確保できる。
【００１４】
（実施例１）
以下、実施例について具体的に説明する。図３はハオルシアをセットした状態の実施例１のケース１００を示す斜視図である。実施例１のケース１００は、ケース本体１０と、光源２０とを備えている。
ケース１００は鉢植えされたハオルシアの単品を展示・観賞するための装置である。ケース１００は、ケース本体１０に置いたハオルシアを観賞できるように、ケース本体１０の後壁Ｄの上縁側に光源２０を配置した展示・観賞装置である。このケース１００と鉢植えされたハオルシアＦとで観賞体が構成される。
【００１５】
ケース本体１０は、合成樹脂製で、かつ、縦断面略Ｌ字状に形成されており、底面と、底面から立設する後壁Ｄとを備える。ケース本体１０の底面は、鉢植えされたハオルシアＦをセットする領域１１を備えている。
光源２０は、図３に示すように、後壁Ｄの上縁側に取り付けられている。
ＬＥＤテープライトからなる光源２０では複数のＬＥＤがテープ状の基材に配置されている。したがって、テープ状の基材に対して光軸をほぼ垂直方向にして各ＬＥＤから光が放出される。
図３の例では、観賞者からみてハオルシアＦの斜め後方に位置する部分からハオルシアＦの方向に光が放出される。換言すれば、この部分がこの発明の実質的な光源となる。
そしてこの実質的な光源部分はハオルシアＦの後方かつ上方に位置、即ち斜め後方に位置する。好ましい位置関係は図１及び図２で説明した通りであり、このように実質的な光源の位置を調整することで、逆光の影響を避けつつ、ハオルシアＦの葉を通過する光量を最大化することができる。
図示しないが、ケース１００には底や蓋を付けてもよい。
【００１６】
（実施例２）
次に、図４を参照して実施例２のケース２００について説明する。なお、実施例１と同一又は対応する部分については同一の符号を付してその説明を省略し、異なる部分のみを説明する（以下同じ）。
実施例２のケース２００は、ケース本体２１０と、光源２０とを備えている。
ケース２１０は、仮想円柱を軸方向に半割した形状であり、開口部１４の中心、即ち仮想円柱の中心からその内側にハオルシアＦがセットされる。
【００１７】
ケース本体２１０の形状は、前面（鑑賞者側）が透明または開口部１４であるものであれば、半円柱状に限らず、柱状、球状、扁球状、角錐状、円錐状、鐘状、砲弾状、キャラクター形状等の容器をおおむね垂直ないし斜めに一部を切除した形状でもよい。
この場合、ケース本体２１０の素材は透光性でも不透明でもよい。素材が不透明な場合、光源２０はケース本体２１０の内側に設置し、透光性ならケース本体２１０の内側、外側いずれでもよい。
【００１８】
この例でもＬＥＤテープライトが光源２０として用いられる。この例では、ＬＥＤテープライトの全域から、ケース本体２１０の中心に置かれるハオルシアＦの方向に光が照射される。したがって、ハオルシアＦの葉を通過する光量が増大する。
光源２０はハオルシアＦの斜め後方に配置され、その好ましい位置関係は図１及び図２で説明した通りである。
光源２０は、図示しない電源ユニットやスイッチを備えており、手動又は自動で駆動させることができる。また光源２０は、図示しない制御部を備えており、自律的に、またはオルゴール等の音楽や動画に合わせて、色や強度の変化、明滅を変化させることができる。（以下すべての実施例において同じ）。
【００１９】
（実施例２の変形例）
実施例２の変形例であるケース２００は、図５及び図６に示すように、ケース本体２１０と、光源２０と、天井部１２と、回転部１５とを備えている。
天井部１２は、不透明な素材若しくは着色された合成樹脂製で、かつ、ケース本体２１０に取着可能な円盤状に形成されている。天井部１２は、光源２０の上方に位置するようにケース本体２１０に取り付けられている。
【００２０】
回転部１５は、円盤状に形成されており、光源２０の下方に位置するようにケース本体２１０に回転可能に設けられている。また、回転部１５には、鉢植えされたハオルシアが載置してセットされる領域１１を有し、図示しない回転駆動部の駆動に伴ってそのセットされたハオルシアが領域１１内を回動可能となる。
【００２１】
（実施例３）
実施例３のケース３００は、図７〜図９に示すように、小型ドーム状装置である。実施例３のケース３００は、図８及び図９に示すように、ケース本体３１０と、光源２０と、回転部１５とを備えている。
ケース本体３１０は、透明な樹脂材料で円筒形状に形成されるとともに、その上縁に半球状のドーム部１３が備えられる。ドーム部１３の内周面はその全面又は一部が高光反射面とされている。好ましくはメッキ面のような鏡面とする。ドーム部１３の頂部には通気口Ｋが形成されている。
【００２２】
ケース本体３１０とドーム部１３とは一体でも別体でもよい。
ケース本体３１０は、内部に置かれたハオルシアが観察できるように、少なくとのその前側壁が透明であればよい。ケース本体３１０の前側壁に窓（空間）を設けてもよい。
光源２０にはＬＥＤテープライトを採用し、ドーム部１３の内側周面であって、後方側の半分の領域に取り付けられる。これにより、図４で説明した光源２０と同じ作用を奏する。更には、ドーム部１３の内周面の光反射面と相まって、独特の光飾効果を奏する。
この例では、ＬＥＤテープライトからなる光源２０をドーム部１３の周方向へ貼着したが、これをケース本体部３１０の内周壁に貼着してもよい。もちろん光源２０は、ハオルシアＦの斜め後方に位置するように調整されるものとする。
【００２３】
回転部１５は、円盤と、図示しない回転駆動部と、回転駆動部によって駆動される円盤の駆動軸とを有している。これら回転駆動部と回転部１５は、ケース本体３１０の中に収納されている。回転駆動部は、基台を備えており、回転部１５の下方に配置されて駆動軸を介して円盤と接続されている。基台は、四方に斜面を有する角錐台状に形成されており、その四方の斜面に太陽電池が配設されている。回転駆動部は、基台に配設された太陽電池を電源として、回転部１５の円盤を回転させる。
【００２４】
（実施例４）
実施例４のケース４００は、図１０〜図１２に示すように、複数の鉢植えされたハオルシアを観賞する場合に適用される。ケース４００は、アクリル樹脂等の透明材からなるケース本体４１０と、光源２０と、テーブル３０とを備えている。
ケース本体４１０は、大型ドーム形状に形成されており、内面に沿って複数の鉢を並べられる大きな透明ドーム状容器である。ケース本体４１０の上部には、通気口Ｋを有する。
【００２５】
テーブル３０はケース本体４１０に収納されて。また、テーブル３０には、中央に筒状部又は柱状部３３が立設されており、かつ、筒状部又は柱状部３３のハオルシアＦより高い位置に光源２０が設置されている。テーブル３０には、鉢植えされたハオルシアを回転させる回転台３１が設けられている。テーブル３０も回転可能である。回転台３１の回転速度や回転方向は同期していてもまた独立していてもよい。また回転台３１とテーブル３０の回転も同期していてもまた独立していてもよい。
光源２０からは全周方向に白色光、もしくは所定の波長の光が放出される。
【００２６】
実施例４のケース４００によれば、すべてのハオルシアＦに対しその斜め後方から光が照射される。したがって、ケース本体４１０の全周どこからでもハオルシアＦに対する好適な照明環境が確保される。
光源２０から制限された方向のみへ光を放出させ、放出方向に位置するハオルシアのみを選択的に照明するようにしてもよい。
光源２０としてミラーボールを採用することもできる。
ミラーボールその他の光源はドーム部４１０に直接取り付けることもでき
光源としてランプとミラーの組み合わせを用いることもできる。ランプをテーブル３０側に配置してミラーをドーム部４１０に取り付け、ランプの光をミラーで反射させてハオルシアＦに照射する。
【００２７】
（実施例５）
実施例５のケース８００を図１３に示す。実施例５のケース８００は、図１３に示すように、ケース本体８１０と、複数の光源２０と、回転台３１と、回転駆動部３２とを備えている。
ケース本体８１０は、透明な素材の平板で囲われた中空直方体状に形成されており、天井部１２を備えている。天井部１２の端部と後面Ｄの上端との間にヒンジ１６が設けられており、天井部１２がケース本体８１０に対して開閉可能に設けられている。また、ケース本体８１０は、天井部１２に対峙する底面が開口しており、この開口底面に回転駆動部３２が設けられて開口が閉じた状態で使用される。
【００２８】
光源２０は、ケース本体８１０に複数設けられている。一の光源２０は天井部１２に設けられており、他の光源２０は、後面Ｄの上方側に設けられている。より具体的には、一の光源２０が天井部１２においてハオルシアＦより後面Ｄ側に配置され、他方の光源２０が後面ＤにおいてハオルシアＦより上側に配置される。
このように構成された実施例５のケース８００によれば、ハオルシアＦの斜め後方に複数の光源２０、２０が配置されるので、十分な光量でハオルシアＦを照明できる。
【００２９】
回転駆動部３２は、回転台３１を回転させるための駆動部であり、電源供給部とスイッチと備えている。そして、回転駆動部３２には、中央に回転台３１が設けられている。実施例８のケース８００は回転駆動部３２と回転台３１とが同じ高さに構成されている。
【００３０】
（実施例６）
図１４に第６実施例のケース９００を示す。
このケース９００はアクリル樹脂等の透明な材料で直方体に形成されたケース本体９１０内に回転台９３０を介してハオルシアＦを収納している。ケース本体９１０は足板９４０で持ち上げられている。この足板９４０はケース本体９１０の下側周壁へ外挿されている。
ケース本体９１０の前面には窓板９５５が取り付けられている。この窓板９５５は透明な板材からなり、その下縁部でケース本体９１０にヒンジ結合され、その上縁部でケース本体９１０に、磁石９５２を介して、仮止めされる。これにより、ハオルシアＦの出し入れに際して窓板９５５が前開きとなる。
符号９６０はケース本体９６０に穿設された空気穴である。
【００３１】
ケース本体９１０の天井板９２０は窓板９５５に対向するように傾斜している。天井板９２０の下縁側下面に光源２０が設けられている。これにより、窓板９５５を観察面としたとき、この光源２０はハオルシアＦの斜め後方に配置されることとなる。この光源２０にはＬＥＤテープライトを採用している。即ち、この光源２０は紙面厚さ方向に連続するテープ状である。符号９２２は光源２０の制御装置であり、図示しない外部電源からの電力を受けて、光源２０を制御する。
このケース９０には、１〜複数のハオルシアＦを収納可能である。ハオルシアＦの数に応じてケース本体９１０及び光源は図１４の紙面厚さ方向に延長される。
【００３２】
以下、他の変形態様について説明する。もちろんこの発明は、上記発明の実施形態の説明、実施例及びその変形態様の説明に何ら限定されるものではない。特許請求の範囲の記載を逸脱せず、当業者が容易に想到できる範囲で種々の変形態様もこの発明に含まれる。
鉢植えされたハオルシアと光源との位置関係がハオルシアを美しく照明するうえで重要であることは既述の通りである。
したがって、両者の空間的位置関係を調整する手段、たとえばスペーサを備えることが好ましい。スペーサの例として、鉢を載せる台などがある。
また、光源の光軸を調整するために光源自体の方向を変更する手段を設けることが好ましい。光軸を変更する手段として、光源自体の方向を調整する位置調整装置がある。また、ミラーを介して光軸を調整することもできる。更には、光源とハオルシアとの間に窓を設けて、この窓により光源からハオルシアへ供給される光を制御することもできる。
【００３３】
前面が透明な横長の箱型ケース本体の前後２列に植物を並べ、前列と後列の間に間仕切板があり、床面が回転すし型周回移動式となっていてもよい。この場合、前面を移動した鉢は間仕切版の後ろを通って、再び前面側に戻って来る。またこの場合光源は間仕切板に設置されている。
また、ケースは、複数の鉢植え植物又は置物を展示・観賞するための周回式箱型装置であってもよい。
本発明のケースは、後列側のケース本体の側面も透明にして、間仕切り板の後背側にも光源を設置してもよい。この場合、装置の両側から中のハオルシアを観賞できる。
さらにまた、ケース本体の背面側側面又は間仕切板に写真や絵を貼付してもよい。この場合、光源は写真や絵の後ろ側に設置するとよい。このとき、長いフィルムに複数の写真や絵を印刷し、両端のロールで巻き取り移動させることも可能である。さらに光源の全部または一部を動画ディスプレイとすることも可能である。
【００３４】
すべての実施例において、これらのケース本体に取っ手やフック、穴などを設け、そこにロープやチェーンなどを取り付けてケースを壁や天井などからつりさげられるようにしてもよい。これによりケースを鑑賞者の水平目線に近い高さの場所に設置でき、より効果的に展示物を観賞できる。
箱型のケースではこれらケースを複数段重ねて設置できるように、ケース本体の上部と下部にかみ合わせてケースを連結できる突起や穴などを設置することもできる。
【００３５】
またケース本体をドーム状ではなく円筒形にして、ケースを上下に重ねて設置できるようにケースの上下に連結用の突起や穴を設置すると、複数のケースを重ねて設置したり、つり下げたりすることもできる。
光源は、上記実施例に挙げたＬＥＤテープライトやレーザー光を発光する装置とミラーボールとからなるものに何ら限定されることなく、例えば、ＬＥＤ駆動装置とスイッチを備えているものや、バックライト、ＥＬ、エレクトロルミネセンスライト、ランプ、放電灯等、これら以外の光源であってもよい。また、これらと反射部との組み合わせであってもよい。更に反射部は、発光部からの光を反射するものであればよく、例えば、反射板、夜光塗料、反射テープ等であってもよく、ミラーボールに何ら限定されるものではない。
【００３６】
回転部又は回転台は、機械式駆動であってもよいし、電動式駆動であってもよい。電動式駆動の場合、電源ユニット、スイッチを備えたものに何ら限定されず、例えば、太陽光発電システムを備えていてもよいし、コンピューターと接続するためのＵＳＢケーブルとスイッチとを備えているものであってもよい。この場合は、ＵＳＢバッテリー駆動ができる。
さらに、つり下げ型小型観賞用温室（装置）を備えていてもよい。この場合には、鑑賞者の水平目線の近くに展示物を置くことができ、展示物の透明な部分を透過した光が効率的に鑑賞者の目に入り、透明部をより美しく展示観賞できる。
【符号の説明】
【００３７】
１０，２１０，３１０，４１０，８１０，９１０，３１００  ケース本体
２０  光源
３０  テーブル
３１  回転台
３２  回転駆動部
３３  柱状部
１００，２００，３００，４００，８００，９００，３０００  ケース
Ｃ  鑑賞者
Ｄ  後面
Ｆ  ハオルシア
Ｕ  仮想水平面
Ｖ  仮想垂直平面
Ｗ  光軸
θＨ１，θＨ２  光源の高さ方向の角度
θＷ１，θＷ２  光源の左右方向の角度
【図１】
2020178636.tif 000003
【図２】
2020178636.tif 000004
【図３】
2020178636.tif 000005
【図４】
2020178636.tif 000006
【図５】
2020178636.tif 000007
【図６】
2020178636.tif 000008
【図７】
2020178636.tif 000009
【図８】
2020178636.tif 000010
【図９】
2020178636.tif 000011
【図１０】
2020178636.tif 000012
【図１１】
2020178636.tif 000013
【図１２】
2020178636.tif 000014
【図１３】
2020178636.tif 000015
【図１４】
2020178636.tif 000016